(57)【要約】【課題】隣り合う二面が開口した陳列室を有し、一の面に臨む領域とこの領域と隣り合う他の一の面に臨む領域との境界である角隅部を他の部分と同様に照らすことができるようにしたショーケースを提供すること。【解決手段】隣り合う二面が開口した陳列室の一の面に臨む領域に陳列された商品と他の一の面に臨む領域に陳列された商品とを照らす照明装置を備えたショーケースにおいて、照明装置は、一端に取り付けられたＬＥＤユニット２から入射された光を他端に取り付けた反射板６で反射するとともに、ＬＥＤユニット２と反射板６との間に設けられた導光板３０から光を照射するものであって、一の面に臨む領域と他の一の面に臨む領域との境界において、他端に取り付けた反射板６が互いに向かい合うように配設された一組で構成した。【選択図】        図１
2009172101.tif 000002
【特許請求の範囲】
【請求項１】
隣り合う二面が開口した陳列室の一の面に臨む領域に陳列された商品と他の一の面に臨む領域に陳列された商品とを照らす照明装置を備えたショーケースにおいて、
前記照明装置は、一端に取り付けられたＬＥＤユニットから入射された光を他端に取り付けた反射板で反射するとともに、ＬＥＤユニットと反射板との間に設けられた導光板から光を照射するものであって、一の面に臨む領域と他の一の面に臨む領域との境界において、他端に取り付けた反射板が互いに向かい合うように配設された一組の照明装置であることを特徴とするショーケース。
【請求項２】
前記一の面に臨む領域と前記他の一の面に臨む領域とにおいて同一の高さとなるように取り付けられ、前記境界において接続される陳列棚を備え、
前記一組の照明装置は、隣り合う陳列棚の接続部分において他端に取り付けた反射板が互いに向かい合うように、一の面に臨む領域に取り付けられた陳列棚と他の一の面に臨む領域に取り付けられた陳列棚とにそれぞれ配設されたことを特徴とする請求項１に記載のショーケース。
【発明の詳細な説明】
【技術分野】
【０００１】
本発明は、陳列した商品を照らす照明装置を備えたショーケースに関するものであって、陳列室の少なくとも隣り合う二面が開口したショーケースに関するものである。
【背景技術】
【０００２】
陳列室の少なくとも隣り合う二面が開口したいわゆるラウンド型ショーケースにおいて、陳列された商品は、陳列室（収容庫）の外に配設した庫外蛍光灯、陳列室（収容庫）の中に配設した庫内蛍光灯、陳列棚の棚下に配設した棚下蛍光灯から照射された光によって照明されるようになっている。
【０００３】
これら庫外蛍光灯、庫内蛍光灯、棚下蛍光灯は、それぞれ、両端にソケットを有する直管型の蛍光灯を複数組み合わせることにより構成してあり、一の面に臨む領域とこの領域と隣り合う他の一の面に臨む領域との境界である角隅部にソケットを配設する必要があることに加え、蛍光灯と蛍光灯との間には着脱に伴う空間が必要であるため、角隅部は、ほかの部分に比較して暗くなってしまうという欠点を有していた。
【０００４】
このような欠点を解消すべく、庫外蛍光灯、庫内蛍光灯、棚下蛍光灯をそれぞれ、隣り合う二面に跨って配設したショーケースが提案されている（例えば、特許文献１参照）。
【０００５】
【特許文献１】特開平９−１３８０６２号公報
【発明の開示】
【発明が解決しようとする課題】
【０００６】
しかしながら、隣り合う二面に跨って配設される庫外蛍光灯、庫内蛍光灯、棚下蛍光灯は、いずれもＬ字型に形成された蛍光灯であって、このような蛍光灯は市場に供給されていない。
【０００７】
本発明は、上記実情に鑑みて、隣り合う二面が開口した陳列室において、一の面に臨む領域とこの領域と隣り合う他の一の面に臨む領域との境界である角隅部を他の部分と同様に照らすことができるようにしたショーケースを提供することを目的とする。
【課題を解決するための手段】
【０００８】
上記の目的を達成するために、本発明にかかるショーケースは、隣り合う二面が開口した陳列室の一の面に臨む領域に陳列された商品と他の一の面に臨む領域に陳列された商品とを照らす照明装置を備えたショーケースにおいて、前記照明装置は、一端に取り付けられたＬＥＤユニットから入射された光を他端に取り付けた反射板で反射するとともに、ＬＥＤユニットと反射板との間に設けられた導光板から光を照射するものであって、一の面に臨む領域と他の一の面に臨む領域との境界において、他端に取り付けた反射板が互いに向かい合うように配設された一組の照明装置であることを特徴とする。
【０００９】
また、本発明に係るショーケースは、上記発明において、前記一の面に臨む領域と前記他の一の面に臨む領域とにおいて同一の高さとなるように取り付けられ、前記境界において接続される陳列棚を備え、前記一組の照明装置は、隣り合う陳列棚の接続部分において他端に取り付けた反射板が互いに向かい合うように、一の面に臨む領域に取り付けられた陳列棚と他の一の面に臨む領域に取り付けられた陳列棚とにそれぞれ配設されたことを特徴とする。
【発明の効果】
【００１０】
本発明にかかるショーケースの照明装置は、一端に取り付けられたＬＥＤユニットから入射された光を他端に取り付けた反射板で反射するとともに、ＬＥＤユニットと反射板との間に設けられた導光板から光を照射するものであって、一の面に臨む領域と他の一の面に臨む領域との境界において、他端に取り付けた反射板が互いに向かい合うように配設された一組の照明装置であるから、一の面に臨む領域とこの領域と隣り合う他の一の面に臨む領域との境界である角隅部にＬＥＤユニットを配設する必要がなく、他の部分と同様に照らすことができる。
【発明を実施するための最良の形態】
【００１１】
以下に添付図面を参照して、本発明にかかるショーケースの好適な実施の形態を詳細に説明する。なお、この実施の形態によりこの発明が限定されるものではない。
【００１２】
図１は、本発明の実施の形態であるショーケースを示す概念斜視図である。本発明の実施の形態であるショーケース１００は、図１に示すように、陳列室の隣り合う三面が開口したいわゆるラウンド型ショーケースであって、前面および後面のほか、前面および後面に隣り合う正面が開口した陳列室を有している。陳列室の前面に臨む領域、正面に臨む領域、後面に臨む領域のそれぞれには、高さ方向に複数の陳列棚１０１が取り付けてある（図１に示す形態では高さ方向に二段の陳列棚１０１が取り付けてある）。
【００１３】
陳列棚１０１は、前面、正面および後面において同一高さとなるように、水平に取り付けてあり、前面に取り付けられた陳列棚と正面に取り付けられた陳列棚、正面に取り付けられた陳列棚と後面に取り付けられた陳列棚とは接続されるようになっている。そして、前面、正面および後面において正対するように商品を陳列することができるようになっている。
【００１４】
ショーケース１００の開口上面、陳列室の上面および各陳列棚１０１の下面には、照明装置が配設してある。照明装置は、ショーケース１００に収納された商品を均一に照らすように配設したもので、開口上面に配設した照明装置（庫外照明装置）は、陳列室の前面全体を均一に照らし、陳列室上面および各陳列棚の下面に配設した照明装置（庫内照明装置および棚下照明装置）は、自身（照明装置）の下方に陳列された商品を照らすようになっている。
【００１５】
これら開口上面に配設した照明装置の配置、陳列室上面に配設した照明装置の配置、および各陳列棚の下面に配設した照明装置の配置は、格別に異なるところがないので、図２に基づいて一括して説明する。なお、図２は、照明装置の配置を示した配置図である。
【００１６】
開口上面、陳列室上面、陳列棚下面に配置される照明装置は、図２に示すように、通常照明装置１と、角隅部照明装置１０とを組み合わせて配置したものである。
【００１７】
ここで、図１に示すショーケースは、正面が広く、前面および後面が狭く構成されているので、図２に示すように、正面中央に通常照明装置１を配設し、角隅部となる部分、すなわち、前面に取り付けた陳列棚と正面に取り付けた陳列棚１０１の接続部分、正面に取り付けた陳列棚１０１と後面に取り付けた陳列棚１０１の接続部分に、一組の角隅部照明装置１０Ｒ、１０Ｌを配設してある。
【００１８】
図３に示すように、通常照明装置１は、一対のＬＥＤユニット（光源）２、導光板（導光部材）３、反射シート４（図５参照）、ステー５を有している。
【００１９】
一対のＬＥＤユニット２は、光源として機能するものであって、一方のＬＥＤユニット２と他方のＬＥＤユニット２とは、同一の形状及び構造を有している。ＬＥＤユニット２は、図４に示すように、ケース２１にＬＥＤ基板（プリント基板）２２を収容したものである。ケース２１は、放熱性を考慮してアルミによって作成され、側方が開口した箱状を呈しており、ケース２１にＬＥＤ基板２２を収容した状態で、導光板３及び反射シート４を収容したステー５が嵌合するようになっている。
【００２０】
ＬＥＤ基板２２は、供給された電力によって発光し、光を出射するように構成したもので、図４に示すように、導光板３に対向する面には、光を反射させる反射部材２３を貼着等するとともに、三つの白色ＬＥＤ（Light-emitting diode）２４が横方向一列に配設してある。これらの白色ＬＥＤ２４は、半球形状を呈しており、基準となる色調（白色）の光を出射する基準色出射光源を構成するようになっている。また、三つの白色ＬＥＤ２４のうち中央に位置する白色ＬＥＤ２４を囲むように、四つの赤色ＬＥＤ２５が長方形の頂点をなすように配設してある。赤色ＬＥＤ２５は、基準となる色調を補う色調（赤色）の光を出射する補色出射光源を構成するようになっている。したがって、白色ＬＥＤ２４のみから光を出射させた場合には青みを帯びた光が導光板３に入射され、白色ＬＥＤ２４と赤色ＬＥＤ２５とから光を出射させた場合には赤みを帯びた光が導光板３に入射されることになる。
【００２１】
ケース２１に収容されたＬＥＤ基板２２は、ネジ止めされることによって、ケース２１に取り付けられ、シリコン系樹脂（図示せず）によって封止されている。
【００２２】
導光板３は、一端面から入射された光を反射させることにより、側面から照射させるものであって、アクリル系の透明な材料で構成してある。導光板３は、図５に示すように、偏平な矩形断面を有する板状体であって、反射シート４が密着する一側面（上面）３ａに反射部３１が形成してある。反射部３１は、一端面から入射させる光の入射方向と平行に形成した溝３１ａであって、左右の両端面近傍において粗であって、両端面から中央に向かうにつれて密となるように、複数形成してある。すなわち、左右両端面近傍では溝３１ａの数を少数とし、両端面から中央に向かうにつれて密となるように順次溝３１ａの数を増やし、中央で溝３１ａの数が多数となるように形成してある。この溝３１ａは、レーザー加工により形成したものでよく、溝３１ａを形成する斜面を鏡面にする必要はない。むしろ、規則性を有する粗面であって、効率よく光が反射するように形成されていることが好ましい。
【００２３】
反射シート４は、導光板３に形成された反射部３１で反射された光をさらに一側面（上面）３ａに対向する他側面（下面）３ｂに反射（鏡面反射および拡散反射）させるものであって、白色のＰＥＴ（Polyethylene Terephthalate）により構成してある。反射シート４は、図５に示すように、導光板３の一側面（上面）とその両側面とを覆うものであって、断面コの字状に折り曲げて形成してある。
【００２４】
反射シート４は、その表面に微細な凹凸を有し、反射部３１で反射された光を拡散反射させるようになっている。すなわち、反射シート４は、反射部３１で反射された光を鏡面反射させるのみならず、拡散反射するようになっている。このような反射シート４は、たとえば、炭酸ガスを用いてＰＥＴ樹脂を発泡させたものであり、反射シート４の表面に構成された気泡が微細な凹凸を構成することになる。
【００２５】
ステー５は、反射シート４を密着させた導光板３を収容し、端部に上述したＬＥＤユニット２が嵌合されるものであって、放熱性を考慮してアルミによって作成されている。ステー５は、断面が略コの字状となるように形成してあり、反射シート４と導光板３とを収容した状態で、ステー下面５ａと導光板３の他側面（下面）３ｂとが面一となるようになっている。また、ステー５は、反射シート４と導光板３とを収容した状態で、導光板３の側方に空隙５１を画成するようになっている。
【００２６】
図６に示すように、一組の角隅部照明装置１０Ｒ、１０Ｌは、前面に取り付けた陳列棚１０１と正面に取り付けた陳列棚１０１の接続部分、正面に取り付けた陳列棚１０１と後面に取り付けた陳列棚１０１の接続部分において、一の角隅部照明装置１０Ｒの延在方向と他の角隅部照明装置１０Ｌの延在方向とが交差（直交）するように配設してある。
【００２７】
また、一の角隅部照明装置１０Ｒと他の角隅部照明装置１０Ｌとは、それぞれ、一のＬＥＤユニット（光源）２、導光板（導光部材）３０、反射シート（図示せず）、ステー５０、反射板６を有しており、陳列棚１０１と陳列棚１０１の接続部分において端面が向かい合うように、導光板３０、反射シートおよびステー５０の端部がそれぞれ斜めに形成してある。なお、ＬＥＤユニット２は、通常照明装置１のものと異なるところはなく、導光板３０、反射シートおよびステー５０は、端部を斜めに形成してあるところを除いて、通常照明装置１のものと異なるところはないので、説明を省略する。
【００２８】
反射板６は、導光板３０の斜めに形成した端部に貼着してあり、導光板３０から入射した光を反射するようになっている。なお、反射板６は、たとえば、アルミ蒸着した反射テープ等によって作成されている。
【００２９】
このように構成された通常照明装置１のＬＥＤユニット２と角隅部照明装置１０のＬＥＤユニット２とは、図７に示すように、ＬＥＤコントローラ７に接続されている。ＬＥＤコントローラ７は、ＬＥＤユニット２を制御するものであり、一のＬＥＤコントローラ７で複数のＬＥＤユニット２を制御できるようになっている。
【００３０】
ＬＥＤコントローラ７は、主制御部（ＣＰＵ及びメモリ）７１のほか、Ｄ／Ｄコンバータ７２、白色用ＬＥＤドライバ７３ａ及び赤色用ＬＥＤドライバ７３ｂ、アナログ入力７４、通信Ｉ／Ｆ７５を備えている。そして、Ｄ／Ｄ７２から供給された直流電源は、主制御部７１のほか、白色用ＬＥＤドライバ７３ａ及び赤色用ＬＥＤドライバ７３ｂに供給されるようになっている。
【００３１】
主制御部７１には、白色ＬＥＤ２４の出力を調整するボリューム（図示せず）と、赤色ＬＥＤ２５の出力を調整するボリューム（図示せず）とが接続してあり、これらボリュームによって設定された値に基づいて、白色用ＬＥＤドライバ（基準色出力調整手段）７３ａ及び赤色用ＬＥＤドライバ（補助色出力調整手段）７３ｂを制御するようになっている。
【００３２】
白色用ＬＥＤドライバ７３ａ及び赤色用ＬＥＤドライバ７３ｂは、ＬＥＤユニット２に接続され、白色ＬＥＤ２４及び赤色ＬＥＤ２５に供給する電力を制御するようになっている。
【００３３】
アナログ入力７４には、温度センサ８が接続可能であって、接続された温度センサ８からの入力によりＬＥＤ２４，２５に流れる電力の制御が可能となっている。例えば、高周囲温度下においてＬＥＤ２４，２５が使用される場合には通電電流規制を行うことにより、ＬＥＤ２４，２５の過熱防止、長寿命化が可能なる。
【００３４】
通信Ｉ／Ｆ７５には、外部装置（パソコンなど）が接続可能であって、例えば、パソコンが接続された場合には、複数のＬＥＤコントローラ７がパソコンによって制御されることになる。
【００３５】
上述した実施の形態である通常照明装置１および角隅部照明装置１０は、ＬＥＤコントローラ７によって制御され、白色用ＬＥＤドライバ７３ａ及び赤色用ＬＥＤドライバ７３ｂから供給された電力によって、白色ＬＥＤ２４及び赤色ＬＥＤ２５から光が出射されることになる。
【００３６】
したがって、通常照明装置１において、白色ＬＥＤ２４及び赤色ＬＥＤ２５から入射した光は、導光板３に設けられた反射部（溝３１ａ）３１により反射され、他側面（下面）３ｂから直接照射され、あるいは反射シート４（凹凸）を介して照射される。
【００３７】
一方、角隅部照明装置１０において、白色ＬＥＤ２４及び赤色ＬＥＤ２５から入射した光は、導光板３に設けられた反射部（溝３１ａ）３１により反射され、他側面（下面）３ｂから直接照射され、あるいは反射シート４（凹凸）を介して照射されるほか、他端に設けられた反射板６により反射され、再び導光板３に入射することになる。
【００３８】
上述した実施の形態であるショーケースの照明装置は、一端に取り付けられたＬＥＤユニット２から入射された光を他端に取り付けた反射板６で反射するとともに、ＬＥＤユニット２と反射板６との間に設けられた導光板３０から光を照射する角隅部照明装置１０を組み合わせたものであって、陳列室の一の面に臨む領域と他の一の面に臨む領域との境界において、他端に取り付けた反射板６が互いに向かい合うように配設されたものであるから、陳列室の一の面に臨む領域とこの領域と隣り合う他の一の面に臨む領域との境界である角隅部にＬＥＤユニット２を配設する必要がなく、他の部分と同様に照らすことができる。
【００３９】
上述した実施の形態であるショーケース１００において、角隅部照明装置１０は、導光板３０、反射シートおよびステー５０の端部をそれぞれ斜めに形成するものとしたが、陳列棚１０１と陳列棚１０１の接続部分において端部が向かい合うものであれば、図８に示すように、階段状に形成したものでもよい。なお、このように導光板、反射シートおよびステーの端部をそれぞれ階段状に形成したものであっても、端部に反射板６を貼着することに変わりはない。
【００４０】
また、角隅部照明装置１０は、陳列棚１０１の接続部分において、一の角隅部照明装置１０Ｒの延在方向と他の角隅部照明装置１０Ｌの延在方向とが直交するように配設したが、一の角隅部照明装置１０Ｒの延在方向と他の角隅部照明装置１０Ｌの延在方向とが直交するものに限られるものではなく、図９に示すように、一の角隅部照明装置１０Ｒの延在方向と他の角隅部照明装置１０Ｌの延在方向とが任意の角度で交差するものであっても良い。
【産業上の利用可能性】
【００４１】
以上のように、本発明にかかるショーケースは、陳列した商品を均一に照らすショーケースに有用であり、特に、少なくとも隣り合う二面が開口したラウンド型のショーケースに適している。
【図面の簡単な説明】
【００４２】
【図１】本発明の実施の形態であるショーケースを示す概念斜視図である。
【図２】照明装置の配置を示した配置図である。
【図３】図２に示した一の照明装置を示す概念図である。
【図４】図３に示したＬＥＤユニットを示す概念図である。
【図５】図２に示した照明装置のＩＶ−ＩＶ断面図である。
【図６】図２に示した他の照明装置を示す概念図である。
【図７】図４に示したＬＥＤユニットを制御するＬＥＤコントローラを示すブロック図である。
【図８】照明装置の配置を示した配置図である。
【図９】照明装置の配置を示した配置図である。
【符号の説明】
【００４３】
１    通常照明装置
１０    角隅部照明装置
２    ＬＥＤユニット
２１    ケース
２２    ＬＥＤ基板
２３    反射部材
２４    白色ＬＥＤ
２５    赤色ＬＥＤ
３    導光板
３０    導光板
３１    反射部
３１ａ    溝
４    反射シート
５    ステー
５ａ    ステー下面
５０    ステー
５１    空隙
６    反射板
７    ＬＥＤコントローラ
７１    主制御部
７２    Ｄ／Ｄコンバータ
７３ａ    白色用ＬＥＤドライバ
７３ｂ    赤色用ＬＥＤドライバ
７４    アナログ入力
７５    通信Ｉ／Ｆ
８    温度センサ
１００    ショーケース
１０１    陳列棚
【図１】
2009172101.tif 000003
【図２】
2009172101.tif 000004
【図３】
2009172101.tif 000005
【図４】
2009172101.tif 000006
【図５】
2009172101.tif 000007
【図６】
2009172101.tif 000008
【図７】
2009172101.tif 000009
【図８】
2009172101.tif 000010
【図９】
2009172101.tif 000011